【手続補正書】
【提出日】平成22年9月2日(2010.9.2)
【手続補正１】
【補正対象書類名】特許請求の範囲
【補正対象項目名】全文
【補正方法】変更
【補正の内容】
【特許請求の範囲】
【請求項１】
被写体を撮像する撮像手段と、
画像内の被写体を特定するための被写体情報と、この被写体情報により特定される被写体に対応する撮影条件または画像処理条件と、を新たに登録する登録手段と、
前記登録手段により新たに登録された前記被写体情報と前記撮影条件または前記画像処理条件とを関連付けて記憶する記憶手段と、
前記撮像手段により撮像された画像から前記被写体の特徴部分を検出する特徴部分検出手段と、
前記特徴部分検出手段により検出された前記被写体の特徴部分に対応する被写体を前記記憶手段に記憶されている被写体情報を参照して特定する被写体特定手段と、
前記被写体特定手段により特定された前記被写体に対応する前記撮影条件または前記画像処理条件を、前記記憶手段から取得する条件取得手段と、
前記条件取得手段により取得された前記撮影条件に従って前記撮像手段による撮像を実行するか、あるいは、前記条件取得手段により取得された前記画像処理条件に従って前記画像処理手段による撮像後の画像に対する画像処理を実行させる制御手段と、
を備えることを特徴とする撮像装置。
【請求項２】
前記記憶手段は、前記登録手段により新たに登録された前記被写体情報と前記撮影条件または前記画像処理条件との関連付けを示す被写体関連情報を、自己の撮像装置に対応させて記憶し、
他の撮像装置と通信する通信手段と、
前記記憶手段により記憶された前記自己の撮像装置に対応した被写体関連情報を前記通信手段により他の撮像装置へ送信する送信手段と、
を備えることを特徴とする請求項１記載の撮像装置。
【請求項３】
前記通信手段により他の撮像装置から前記被写体関連情報を受信する受信手段と、
前記受信手段により受信した前記被写体関連情報を他の撮像装置に対応した被写体関連情報として、前記記憶手段に追加して記憶する追加情報記憶手段と、
を備えることを特徴とする請求項２記載の撮像装置。
【請求項４】
前記制御手段は、前記被写体特定手段により被写体が特定されたことを条件として、前記条件取得手段により取得された前記撮影条件を設定することを特徴とする請求項３記載の撮像装置。
【請求項５】
前記撮像手段により撮像された画像を記録する画像記録手段と、
前記制御手段は、前記被写体特定手段により被写体が特定されたことを条件として、前記条件取得手段により取得された前記画像処理条件に従って画像処理を実行するとともに、該画像処理が施された後の画像を前記画像記録手段により記録させることを特徴とする請求項３記載の撮像装置。
【請求項６】
前記登録手段は、前記撮像手段により撮像された前記画像内の前記被写体を特定するための被写体情報と、前記被写体情報により特定される前記被写体の前記画像処理条件と、前記被写体情報により特定される前記被写体の前記撮影条件と、を登録し、
前記記憶手段は、前記登録手段により登録された前記被写体を特定するための前記被写体情報と、前記被写体情報により特定される前記被写体の前記画像処理条件と、前記被写体情報により特定される前記被写体の前記撮影条件と、を被写体関連情報として関連付けて記憶し、
前記制御手段は、前記条件取得手段により取得された前記被写体関連情報で指定される前記撮影条件に基づいて前記撮像手段による撮像を行うとともに、該被写体関連情報で指定される前記画像処理条件に従って前記画像処理手段による撮影後の画像に対する画像処理を実行させることを特徴とする請求項３記載の撮像装置。
【請求項７】
前記制御手段により画像処理が行われた複数の画像を記憶する画像記憶手段と、
前記画像記憶手段により記憶された前記複数の画像の中から対象となる画像を検索する検索手段と、
前記検索手段により検索された前記画像を表示する表示手段と、
を備え、
前記登録手段は、前記撮像手段により撮像された前記画像内の前記被写体を特定するための被写体情報と、前記被写体情報により特定される前記被写体の前記画像処理条件と、前記被写体情報により特定される前記被写体の前記撮影条件と、前記被写体情報により特定される前記被写体の個人に関する個人情報と、を登録し、
前記記憶手段は、前記登録手段により登録された前記被写体を特定するための前記被写体情報と、前記被写体情報により特定される前記被写体の前記画像処理条件と、前記被写体情報により特定される前記被写体の前記撮影条件と、前記被写体情報により特定される前記被写体の個人に関する個人情報と、を被写体関連情報として関連付けて記憶し、
前記検索手段は、前記記憶手段により関連付けされた被写体関連情報を参照して、前記画像記憶手段により記憶されている複数の画像の中から対象となる画像を検索することを特徴とする請求項６記載の撮像装置。
【請求項８】
前記撮像手段は、複数の被写体を撮像し、
前記登録手段は、前記撮像手段により撮像された前記画像内の前記被写体を特定するための被写体情報と、前記被写体情報により特定される前記被写体の前記画像処理条件と、を前記被写体毎に複数登録し、
前記記憶手段は、前記登録手段により登録された前記被写体を特定するための前記被写体情報と、前記被写体情報により特定される前記被写体の前記画像処理条件と、を被写体毎に記憶し、
前記特徴部分検出手段は、前記撮像手段により撮像された画像から前記複数の被写体の夫々の特徴部分を検出し、
前記被写体特定手段は、前記特徴部分検出手段により検出された前記複数の被写体の夫々の特徴部分に対応する複数の被写体を前記記憶手段に記憶されている複数の前記被写体情報を参照して特定し、
前記条件取得手段は、前記被写体特定手段により特定された前記複数の被写体の夫々に対応する前記画像処理条件を、前記記憶手段から取得し、
前記制御手段は、前記条件取得手段により取得された夫々の前記画像処理条件に基づいて、前記画像内の対応する各被写体に対し、画像処理を実行することを特徴とする請求項１記載の撮像装置。
【請求項９】
被写体を撮像する撮像工程と、
画像内の被写体を特定するための被写体情報と、この被写体情報により特定される被写体に対応する撮影条件または画像処理条件と、を新たに登録する登録工程と、
前記登録工程により新たに登録された前記被写体情報と前記撮影条件または前記画像処理条件との関連付けを示す被写体関連情報を記憶する記憶工程と、
前記撮像工程により撮像された画像から前記被写体の特徴部分を検出する特徴部分検出工程と、
前記特徴部分検出工程により検出された前記被写体の特徴部分に対応する被写体を前記記憶工程で記憶された被写体情報を参照して特定する被写体特定工程と、
前記被写体特定工程により特定された前記被写体に対応する前記撮影条件または前記画像処理条件を、前記記憶工程で記憶された被写体関連情報から取得する条件取得工程と、
前記条件取得工程により取得された前記撮影条件に従って前記撮像工程による撮像を実行するか、あるいは、前記条件取得工程により取得された前記画像処理条件に従って撮像後の画像に対する画像処理を実行させる制御工程と、
を備えることを特徴とする撮像方法。
【請求項１０】
撮像装置が備えるコンピュータを、
被写体を撮像する撮像手段、
画像内の被写体を特定するための被写体情報と、この被写体情報により特定される被写体に対応する撮影条件または画像処理条件と、を新たに登録する登録手段、
前記登録手段により新たに登録された前記被写体情報と前記撮影条件または前記画像処理条件とを関連付けて記憶する記憶手段、
前記撮像手段により撮像された画像から前記被写体の特徴部分を検出する特徴部分検出手段、
前記特徴部分検出手段により検出された前記被写体の特徴部分に対応する被写体を前記記憶手段に記憶されている被写体情報を参照して特定する被写体特定手段、
前記被写体特定手段により特定された前記被写体に対応する前記撮影条件または前記画像処理条件を、前記記憶手段から取得する条件取得手段、
前記条件取得手段により取得された前記撮影条件に従って前記撮像手段による撮像を実行するか、あるいは、前記条件取得手段により取得された前記画像処理条件に従って撮像後の画像に対する画像処理を実行させる制御手段、
として機能させることを特徴とするプログラム。
【手続補正２】
【補正対象書類名】明細書
【補正対象項目名】０００７
【補正方法】変更
【補正の内容】
【０００７】
第１の発明に係る撮像装置は、被写体を撮像する撮像手段と、画像内の被写体を特定するための被写体情報と、この被写体情報により特定される被写体に対応する撮影条件または画像処理条件と、を新たに登録する登録手段と、前記登録手段により新たに登録された前記被写体情報と前記撮影条件または前記画像処理条件とを関連付けて記憶する記憶手段と、前記撮像手段により撮像された画像から前記被写体の特徴部分を検出する特徴部分検出手段と、前記特徴部分検出手段により検出された前記被写体の特徴部分に対応する被写体を前記記憶手段に記憶されている被写体情報を参照して特定する被写体特定手段と、前記被写体特定手段により特定された前記被写体に対応する前記撮影条件または前記画像処理条件を、前記記憶手段から取得する条件取得手段と、前記条件取得手段により取得された前記撮影条件に従って前記撮像手段による撮像を実行するか、あるいは、前記条件取得手段により取得された前記画像処理条件に従って前記画像処理手段による撮像後の画像に対する画像処理を実行させる制御手段と、を備えることを特徴とする。
【手続補正３】
【補正対象書類名】明細書
【補正対象項目名】０００８
【補正方法】変更
【補正の内容】
【０００８】
第２の発明に係る撮像装置は更に、前記記憶手段は、前記登録手段により新たに登録された前記被写体情報と前記撮影条件または前記画像処理条件との関連付けを示す被写体関連情報を、自己の撮像装置に対応させて記憶し、他の撮像装置と通信する通信手段と、前記記憶手段により記憶された前記自己の撮像装置に対応した被写体関連情報を前記通信手段により他の撮像装置へ送信する送信手段と、を備えることを特徴とする。
【手続補正４】
【補正対象書類名】明細書
【補正対象項目名】０００９
【補正方法】変更
【補正の内容】
【０００９】
第３の発明に係る撮像装置は更に、前記通信手段により他の撮像装置から前記被写体関連情報を受信する受信手段と、前記受信手段により受信した前記被写体関連情報を他の撮像装置に対応した被写体関連情報として、前記記憶手段に追加して記憶する追加情報記憶手段と、を備えることを特徴とする。
第４の発明に係る撮像装置は更に、前記制御手段は、前記被写体特定手段により被写体が特定されたことを条件として、前記条件取得手段により取得された前記撮影条件を設定することを特徴とする。
第５の発明に係る撮像装置は更に、前記撮像手段により撮像された画像を記録する画像記録手段と、
前記制御手段は、前記被写体特定手段により被写体が特定されたことを条件として、前記条件取得手段により取得された前記画像処理条件に従って画像処理を実行するとともに、該画像処理が施された後の画像を前記画像記録手段により記録させることを特徴とする。
【手続補正５】
【補正対象書類名】明細書
【補正対象項目名】００１０
【補正方法】変更
【補正の内容】
【００１０】
第６の発明に係る撮像装置は更に、前記登録手段は、前記撮像手段により撮像された前記画像内の前記被写体を特定するための被写体情報と、前記被写体情報により特定される前記被写体の前記画像処理条件と、前記被写体情報により特定される前記被写体の前記撮影条件と、を登録し、前記記憶手段は、前記登録手段により登録された前記被写体を特定するための前記被写体情報と、前記被写体情報により特定される前記被写体の前記画像処理条件と、前記被写体情報により特定される前記被写体の前記撮影条件と、を被写体関連情報として関連付けて記憶し、前記制御手段は、前記条件取得手段により取得された前記被写体関連情報で指定される前記撮影条件に基づいて前記撮像手段による撮像を行うとともに、該被写体関連情報で指定される前記画像処理条件に従って前記画像処理手段による撮影後の画像に対する画像処理を実行させることを特徴とする。
【手続補正６】
【補正対象書類名】明細書
【補正対象項目名】００１１
【補正方法】変更
【補正の内容】
【００１１】
第７の発明に係る撮像装置は更に、前記制御手段により画像処理が行われた複数の画像を記憶する画像記憶手段と、前記画像記憶手段により記憶された前記複数の画像の中から対象となる画像を検索する検索手段と、前記検索手段により検索された前記画像を表示する表示手段と、を備え、前記登録手段は、前記撮像手段により撮像された前記画像内の前記被写体を特定するための被写体情報と、前記被写体情報により特定される前記被写体の前記画像処理条件と、前記被写体情報により特定される前記被写体の前記撮影条件と、前記被写体情報により特定される前記被写体の個人に関する個人情報と、を登録し、前記記憶手段は、前記登録手段により登録された前記被写体を特定するための前記被写体情報と、前記被写体情報により特定される前記被写体の前記画像処理条件と、前記被写体情報により特定される前記被写体の前記撮影条件と、前記被写体情報により特定される前記被写体の個人に関する個人情報と、を被写体関連情報として関連付けて記憶し、前記検索手段は、前記記憶手段により関連付けされた被写体関連情報を参照して、前記画像記憶手段により記憶されている複数の画像の中から対象となる画像を検索することを特徴とする。
【手続補正７】
【補正対象書類名】明細書
【補正対象項目名】００１２
【補正方法】変更
【補正の内容】
【００１２】
第８の発明に係る撮像装置は、前記撮像手段は、複数の被写体を撮像し、前記登録手段は、前記撮像手段により撮像された前記画像内の前記被写体を特定するための被写体情報と、前記被写体情報により特定される前記被写体の前記画像処理条件と、を前記被写体毎に複数登録し、前記記憶手段は、前記登録手段により登録された前記被写体を特定するための前記被写体情報と、前記被写体情報により特定される前記被写体の前記画像処理条件と、を被写体毎に記憶し、前記特徴部分検出手段は、前記撮像手段により撮像された画像から前記複数の被写体の夫々の特徴部分を検出し、前記被写体特定手段は、前記特徴部分検出手段により検出された前記複数の被写体の夫々の特徴部分に対応する複数の被写体を前記記憶手段に記憶されている複数の前記被写体情報を参照して特定し、
前記条件取得手段は、前記被写体特定手段により特定された前記複数の被写体の夫々に対応する前記画像処理条件を、前記記憶手段から取得し、前記制御手段は、前記条件取得手段により取得された夫々の前記画像処理条件に基づいて、前記画像内の対応する各被写体に対し、画像処理を実行することを特徴とする。
【手続補正８】
【補正対象書類名】明細書
【補正対象項目名】００１３
【補正方法】変更
【補正の内容】
【００１３】
第９の発明に係る撮像方法は、被写体を撮像する撮像工程と、画像内の被写体を特定するための被写体情報と、この被写体情報により特定される被写体に対応する撮影条件または画像処理条件と、を新たに登録する登録工程と、前記登録工程により新たに登録された前記被写体情報と前記撮影条件または前記画像処理条件との関連付けを示す被写体関連情報を記憶する記憶工程と、
前記撮像工程により撮像された画像から前記被写体の特徴部分を検出する特徴部分検出工程と、
前記特徴部分検出工程により検出された前記被写体の特徴部分に対応する被写体を前記記憶工程で記憶された被写体情報を参照して特定する被写体特定工程と、前記被写体特定工程により特定された前記被写体に対応する前記撮影条件または前記画像処理条件を、前記記憶工程で記憶された被写体関連情報から取得する条件取得工程と、前記条件取得工程により取得された前記撮影条件に従って前記撮像工程による撮像を実行するか、あるいは、前記条件取得工程により取得された前記画像処理条件に従って撮像後の画像に対する画像処理を実行させる制御工程と、を備えることを特徴とする。
また、第１０の発明に係る撮像プログラムは、撮像装置が備えるコンピュータを、被写体を撮像する撮像手段、画像内の被写体を特定するための被写体情報と、この被写体情報により特定される被写体に対応する撮影条件または画像処理条件と、を新たに登録する登録手段、前記登録手段により新たに登録された前記被写体情報と前記撮影条件または前記画像処理条件とを関連付けて記憶する記憶手段、前記撮像手段により撮像された画像から前記被写体の特徴部分を検出する特徴部分検出手段、前記特徴部分検出手段により検出された前記被写体の特徴部分に対応する被写体を前記記憶手段に記憶されている被写体情報を参照して特定する被写体特定手段、前記被写体特定手段により特定された前記被写体に対応する前記撮影条件または前記画像処理条件を、前記記憶手段から取得する条件取得手段、前記条件取得手段により取得された前記撮影条件に従って前記撮像手段による撮像を実行するか、あるいは、前記条件取得手段により取得された前記画像処理条件に従って撮像後の画像に対する画像処理を実行させる制御手段、として機能させることを特徴とする。